(57)【特許請求の範囲】
【請求項１】
バリ取り機の駆動軸に取り付けられるバリ取りブラシの取付構造であって、
バリ取りブラシが固定される端面を有するプレートと、
前記駆動軸の先端に固定される固定部と、前記固定部の下端に接続され、前記駆動軸の軸方向に直交する横方向の一方が開口する収容部とを有する支持具と、
前記プレートに一体に設けられ、前記プレートに接続される一端を有する軸部と、前記軸部の他端に形成されて前記収容部に収容される取付片とを有する取付部と、
前記取付片と共に前記収容部に収容され、前記取付片よりも前記開口側に位置する固定片と、
前記取付片に前記横方向にネジ孔が形成されると共に前記固定片に前記ネジ孔に連通する断面形状が縦長の貫通孔が形成され、前記貫通孔を介して前記ネジ孔に挿通されるネジと、を備え、
前記収容部は、
前記固定部側に位置する上面と、その反対側に位置する下面と、前記収容部の両側に位置する一対の側面と、前記開口の反対側に位置する当て止め面とを有し、
前記下面に前記取付部の軸部が挿入されるスリットが形成され、
前記取付片は、
前記下面に接する第１当接面と、前記当て止め面に接する当て付け面と、前記横方向の一方から他方に向かって高くなる傾斜面とを有し、
前記固定片は、
前記上面に接する第２当接面と、前記取付片の傾斜面に接する摺動面とを有し、
前記ネジが回転することで、前記取付片の傾斜面に沿って前記固定片が前記横方向に摺動して、前記取付片が前記収容部に着脱自在に固定されるバリ取りブラシの取付構造。
【請求項２】
前記収容部の下面と当て止め面とが直交すると共に、前記取付片の第１当接面と当て付け面とが直交する請求項１に記載のバリ取りブラシの取付構造。
【請求項３】
前記ネジが半回転することで、前記取付片が前記収容部に着脱自在に固定可能である請求項１又は請求項２に記載のバリ取りブラシの取付構造。
【請求項４】
バリ取り機の駆動軸にバリ取りブラシを取り付けるバリ取りブラシの取付方法であって、
請求項１〜請求項３のいずれか１項に記載のバリ取りブラシの取付構造を備え、
前記駆動軸に前記支持具の固定部を固定しておく準備工程と、
前記プレートに前記バリ取りブラシを固定するブラシ固定工程と、
前記バリ取りブラシを前記プレートに固定した後、前記取付部の取付片を前記支持具の収容部の開口から挿入して、前記収容部に収容する取付片収容工程と、
前記固定片を前記開口から挿入して、前記取付片よりも前記開口側に位置するように前記収容部に収容する固定片収容工程と、
前記取付片及び固定片を前記収容部に収容した後、前記ネジを回転させることで、前記取付片の傾斜面に沿って前記固定片を前記横方向に摺動させ、前記取付片を前記収容部に着脱自在に固定するブラシ取付工程と、を備えるバリ取りブラシの取付方法。
【発明の詳細な説明】
【技術分野】
【０００１】
本発明は、バリ取り機の駆動軸に取り付けられるバリ取りブラシの取付構造、及びバリ取りブラシの取付方法に関する。特に、バリ取りブラシの取り付け作業性に優れるバリ取りブラシの取付構造、及びバリ取りブラシの取付方法に関する。
【背景技術】
【０００２】
鉄粉などの金属粉末の成形体を焼結した焼結体からなる焼結部品が、自動車部品や機械部品などに利用されている。焼結部品としては、例えばスプロケット、ロータ、ギア、リング、フランジ、プーリー、ベーン、軸受けなどが挙げられる。一般に、焼結部品は、金属粉末を含有する原料粉末を金型で加圧成形して圧粉成形体を作製し、これを焼結することで製造されている。
【０００３】
焼結部品の製造において、圧粉成形体にバリが生じることがある。そこで、焼結前に圧粉成形体に生じているバリをバリ取りブラシで除去することが行われており、モータにより回転する駆動軸の先端にバリ取りブラシを取り付けたバリ取り機が使用されている（特許文献１を参照）。バリ取り用ブラシの毛材には、例えば樹脂繊維（例、ナイロン繊維）や金属繊維（例、ステンレス繊維）などが用いられている。
【先行技術文献】
【特許文献】
【０００４】
【特許文献１】特開２０１０−９９７７４号公報
【発明の概要】
【発明が解決しようとする課題】
【０００５】
従来、バリ取り機の駆動軸へのバリ取りブラシの取り付けは、駆動軸の先端に一体に固定されたプレートにバリ取りブラシをボルトで固定することで行われている。このプレートは駆動軸に取り外し困難に固定されており、容易に着脱できない構造になっている。したがって、作業者は、駆動軸の側方からバリ取りブラシを差し入れるなどして、駆動軸に固定されているプレートにバリ取りブラシをボルトで固定する作業を行っている。
【０００６】
そのため、従来の取付構造では、ボルトを締め付けるための作業スペースが狭くて作業が行い難く、作業時間もかかるなど、バリ取りブラシの取り付け作業性が悪い。また、作業が行い難いため、プレートに対してバリ取りブラシが傾いて取り付けられたり、ボルトの締め付け力にバラツキが生じるなど、バリ取りブラシの芯出し調整が難しく、バリ取りブラシの取付精度が悪化する虞がある。特に、下から上に向けてバリ取りブラシを配置しながら、ボルトの締付・取外し作業は行い難く、バリ取りブラシの取付精度の悪化を招き易い。
【０００７】
そこで、本発明の目的の一つは、バリ取りブラシの取り付け作業性に優れるバリ取りブラシの取付構造、及びバリ取りブラシの取付方法を提供することにある。
【課題を解決するための手段】
【０００８】
本発明の一態様に係るバリ取りブラシの取付構造は、以下のとおりである。
バリ取り機の駆動軸に取り付けられるバリ取りブラシの取付構造であって、
バリ取りブラシが固定される端面を有するプレートと、
前記駆動軸の先端に固定される固定部と、前記固定部の下端に接続され、前記駆動軸の軸方向に直交する横方向の一方が開口する収容部とを有する支持具と、
前記プレートに一体に設けられ、前記プレートに接続される一端を有する軸部と、前記軸部の他端に形成されて前記収容部に収容される取付片とを有する取付部と、
前記取付片と共に前記収容部に収容され、前記取付片よりも前記開口側に位置する固定片と、
前記取付片に前記横方向にネジ孔が形成されると共に前記固定片に前記ネジ孔に連通する断面形状が縦長の貫通孔が形成され、前記貫通孔を介して前記ネジ孔に挿通されるネジと、を備え、
前記収容部は、
前記固定部側に位置する上面と、その反対側に位置する下面と、前記収容部の両側に位置する一対の側面と、前記開口の反対側に位置する当て止め面とを有し、
前記下面に前記取付部の軸部が挿入されるスリットが形成され、
前記取付片は、
前記下面に接する第１当接面と、前記当て止め面に接する当て付け面と、前記横方向の一方から他方に向かって高くなる傾斜面とを有し、
前記固定片は、
前記上面に接する第２当接面と、前記取付片の傾斜面に接する摺動面とを有し、
前記ネジが回転することで、前記取付片の傾斜面に沿って前記固定片が前記横方向に摺動して、前記取付片が前記収容部に着脱自在に固定される。
【０００９】
本発明の一態様に係るバリ取りブラシの取付方法は、以下のとおりである。
バリ取り機の駆動軸にバリ取りブラシを取り付けるバリ取りブラシの取付方法であって、
上記本発明の一態様に係るバリ取りブラシの取付構造を備え、
前記駆動軸に前記支持具の固定部を固定しておく準備工程と、
前記プレートに前記バリ取りブラシを固定するブラシ固定工程と、
前記バリ取りブラシを前記プレートに固定した後、前記取付部の取付片を前記支持具の収容部の開口から挿入して、前記収容部に収容する取付片収容工程と、
前記固定片を前記開口から挿入して、前記取付片よりも前記開口側に位置するように前記収容部に収容する固定片収容工程と、
前記取付片及び固定片を前記収容部に収容した後、前記ネジを回転させることで、前記取付片の傾斜面に沿って前記固定片を前記横方向に摺動させ、前記取付片を前記収容部に着脱自在に固定するブラシ取付工程と、を備える。
【発明の効果】
【００１０】
上記バリ取りブラシの取付構造、及びバリ取りブラシの取付方法は、バリ取りブラシの取り付け作業性に優れる。
【図面の簡単な説明】
【００１１】
【図１】実施形態１に係るバリ取りブラシの取付構造の構成例を示す概略図である。
【図２】実施形態１に係るバリ取りブラシの取付構造における支持具を示す概略図である。
【図３】図２のＩＩ−ＩＩ線で切断した収容部の概略横断面図である。
【図４】実施形態１に係るバリ取りブラシの取付構造における取付部を示す概略図である。
【図５】実施形態１に係るバリ取りブラシの取付構造における固定片を示す概略図である。
【図６】実施形態１に係るバリ取りブラシの取付構造において、取付片及び固定片が収容部に収容された状態を示す概略縦断面図である。
【発明を実施するための形態】
【００１２】
［本発明の実施形態の説明］
最初に、本発明の実施形態を列挙して説明する。
【００１３】
（１）本発明の一形態に係るバリ取りブラシの取付構造は、以下のとおりである。
バリ取り機の駆動軸に取り付けられるバリ取りブラシの取付構造であって、
バリ取りブラシが固定される端面を有するプレートと、
前記駆動軸の先端に固定される固定部と、前記固定部の下端に接続され、前記駆動軸の軸方向に直交する横方向の一方が開口する収容部とを有する支持具と、
前記プレートに一体に設けられ、前記プレートに接続される一端を有する軸部と、前記軸部の他端に形成されて前記収容部に収容される取付片とを有する取付部と、
前記取付片と共に前記収容部に収容され、前記取付片よりも前記開口側に位置する固定片と、
前記取付片に前記横方向にネジ孔が形成されると共に前記固定片に前記ネジ孔に連通する断面形状が縦長の貫通孔が形成され、前記貫通孔を介して前記ネジ孔に挿通されるネジと、を備え、
前記収容部は、
前記固定部側に位置する上面と、その反対側に位置する下面と、前記収容部の両側に位置する一対の側面と、前記開口の反対側に位置する当て止め面とを有し、
前記下面に前記取付部の軸部が挿入されるスリットが形成され、
前記取付片は、
前記下面に接する第１当接面と、前記当て止め面に接する当て付け面と、前記横方向の一方から他方に向かって高くなる傾斜面とを有し、
前記固定片は、
前記上面に接する第２当接面と、前記取付片の傾斜面に接する摺動面とを有し、
前記ネジが回転することで、前記取付片の傾斜面に沿って前記固定片が前記横方向に摺動して、前記取付片が前記収容部に着脱自在に固定される。
【００１４】
上記バリ取りブラシの取付構造によれば、バリ取り機の駆動軸の先端に固定部により収容部を有する支持具が固定され、バリ取りブラシが固定されるプレートに取付片を有する取付部が一体に設けられている。また、取付片と共に固定片が収容部に収容され、固定片に形成された貫通孔を介して取付片に形成されたネジ孔にネジが挿通されており、取付片の傾斜面に固定片の摺動面が接している。そして、ネジが回転することで、取付片の傾斜面に沿って固定片が摺動して、取付片が収容部に着脱自在に固定されるように構成されている。具体的には、ネジを締めることで、固定片が横方向の一方から他方に向かって取付片の傾斜面に沿って摺動して、固定片及び取付片が互いに協働して収容部の上面と下面との間で上下方向に突っ張ることにより、取付片が収容部に固定される。ネジを緩めることで、固定片が横方向の他方から一方に向かって取付片の傾斜面に沿って摺動して、固定片と収容部の上面との間に隙間が形成されるため、固定片及び取付片の上下方向の突っ張りが解消され、取付片を収容部から取り外すことができる。つまり、１つのネジによって、支持具にプレートを着脱自在に容易に取り付けることができる。
【００１５】
上記バリ取りブラシの取付構造は、駆動軸に固定された支持具に対してプレートが着脱自在に固定される構造であり、駆動軸から取り外した状態でプレートにバリ取りブラシをボルトで固定する作業を行うことができる。よって、バリ取りブラシをプレートに固定する作業を外段取りで行うことができ、作業が行い易い。また、上記バリ取りブラシの取付構造では、プレートを支持具に容易に取り付けることができるため、バリ取りブラシの取り付け作業も容易であり、作業時間を短縮できる。加えて、取付片を収容部に固定するネジが横向きに設けられているため、ネジの締緩作業をバリ取りブラシに干渉することなく行うことができるので、バリ取りブラシの着脱が容易である。したがって、上記バリ取りブラシの取付構造は、バリ取り機の駆動軸にバリ取りブラシを着脱自在に容易に取り付けることが可能であり、バリ取りブラシの取り付け作業性に優れる。
【００１６】
（２）上記バリ取りブラシの取付構造の一形態として、次のものが挙げられる。
前記収容部の下面と当て止め面とが直交すると共に、前記取付片の第１当接面と当て付け面とが直交する。
【００１７】
上記形態では、収容部の当て止め面と取付片の当て付け面とが互いに平行に面接触することで、バリ取りブラシの芯出し調整を容易に行うことができ、バリ取りブラシの取付精度が向上する。
【００１８】
（３）上記バリ取りブラシの取付構造の一形態として、次のものが挙げられる。
前記ネジが半回転することで、前記取付片が前記収容部に着脱自在に固定可能である。
【００１９】
上記形態では、ネジを半回転させることで、プレートを支持具に取り付けることが可能であるため、バリ取りブラシの取り付け作業が容易であり、作業時間をより短縮できる。
【００２０】
（４）本発明の一形態に係るバリ取りブラシの取付方法は、以下のとおりである。
バリ取り機の駆動軸にバリ取りブラシを取り付けるバリ取りブラシの取付方法であって、
上記（１）〜（３）のいずれか１つに記載のバリ取りブラシの取付構造を備え、
前記駆動軸に前記支持具の固定部を固定しておく準備工程と、
前記プレートに前記バリ取りブラシを固定するブラシ固定工程と、
前記バリ取りブラシを前記プレートに固定した後、前記取付部の取付片を前記支持具の収容部の開口から挿入して、前記収容部に収容する取付片収容工程と、
前記固定片を前記開口から挿入して、前記取付片よりも前記開口側に位置するように前記収容部に収容する固定片収容工程と、
前記取付片及び固定片を前記収容部に収容した後、前記ネジを回転させることで、前記取付片の傾斜面に沿って前記固定片を前記横方向に摺動させ、前記取付片を前記収容部に着脱自在に固定するブラシ取付工程と、を備える。
【００２１】
上記バリ取りブラシの取付方法は、駆動軸に固定した支持具に対してプレートを着脱自在に固定する方法であり、バリ取りブラシをプレートに固定した後、取付片と共に固定片を収容部に収容し、ネジによって取付片を収容部に固定する。つまり、プレートにバリ取りブラシをボルトで固定する作業を行った後、バリ取りブラシを固定したプレートを支持具に取り付ける。よって、バリ取りブラシをプレートに固定する作業を外段取りで行うことから、作業が行い易い。また、上記バリ取りブラシの取付方法は、上述した取付構造を備えることから、バリ取りブラシを固定したプレートを支持具に容易に取り付けることができるため、バリ取りブラシの取り付け作業も容易であり、作業時間を短縮できる。したがって、上記バリ取りブラシの取付方法は、バリ取り機の駆動軸にバリ取りブラシを着脱自在に容易に取り付けることが可能であり、バリ取りブラシの取り付け作業性に優れる。
【００２２】
［本発明の実施形態の詳細］
本発明の実施形態に係るバリ取りブラシの取付構造、及びバリ取りブラシの取付方法の具体例を、以下に図面を参照しつつ説明する。図中の同一符号は同一又は相当部分を示す。本発明はこれらの例示に限定されるものではなく、特許請求の範囲によって示され、特許請求の範囲と均等の意味および範囲内でのすべての変更が含まれることが意図される。
【００２３】
［実施形態１］
図１〜図６を参照して、実施形態１に係るバリ取りブラシの取付構造、及びバリ取りブラシの取付方法について説明する。以下の説明では、図１に示すバリ取り機Ａの駆動軸Ｓの軸方向を上下方向（縦方向）とし、軸方向に直交する方向を横方向とする。また、収容部２２の開口側を正面とする。
【００２４】
＜バリ取りブラシの取付構造＞
図１に示すバリ取りブラシの取付構造は、バリ取り機Ａの駆動軸Ｓにバリ取りブラシＢを取り付けるためのものである。図１の上図は、駆動軸Ｓの中心を通る取付構造の側面断面図であり、図１の下図は、駆動軸Ｓの中心を通る取付構造の正面断面図である。バリ取りブラシの取付構造は、プレート１０と、支持具２０と、取付部３０と、固定片４０と、ネジ５０とを備える。まず、バリ取り機Ａ及びバリ取りブラシＢの構成を説明し、次いで、バリ取りブラシの取付構造の構成について詳しく説明する。
【００２５】
（バリ取り機）
バリ取り機Ａは、回転する駆動軸Ｓを有し、駆動軸Ｓが上下方向に沿って延びるように配置されている。駆動軸Ｓは、バリ取りブラシＢの上側に設置され、駆動軸Ｓの先端が下方に向いている。駆動軸Ｓの上方には、駆動軸Ｓを回転駆動するモータが配置されており、モータにより駆動軸Ｓが回転する。バリ取り機Ａとしては、公知のものを使用することができる。
【００２６】
（バリ取りブラシ）
バリ取りブラシＢは、焼結前の圧粉成形体に生じているバリを除去するためのものであり、公知のものを使用することができる。この例では、バリ取りブラシＢは、円板状の基材に樹脂繊維の毛材が植毛されたものであり、後述するプレート１０にボルト１０ｂで固定されている。毛材の材質としては、ナイロン樹脂、アクリル樹脂、ポリテトラフルオロエチレン（ＰＴＦＥ）樹脂などが挙げられる。
【００２７】
（プレート）
プレート１０は、バリ取りブラシＢが固定される端面を有する。プレート１０は、円板状の部材であり、バリ取りブラシＢを固定するためのボルト１０ｂが挿通されるボルト孔１０ｈが形成されている。プレート１０の中心には、後述する取付部３０が一体に設けられている。
【００２８】
（支持具）
支持具２０は、図１，図２に示すように、駆動軸Ｓの先端に固定される固定部２１と、固定部２１の下端に接続され、駆動軸Ｓの軸方向に直交する横方向の一方が開口する収容部２２とを有する。図２の上図は、支持具２０の側面図であり、図２の下図は、支持具２０の正面図である。
【００２９】
〈固定部〉
固定部２１は、筒状の部材であり、固定部２１の中心には、駆動軸Ｓの先端が挿入される丸棒状の挿入穴２１０が形成されている。駆動軸Ｓの先端には、軸方向に直交する貫通孔Ｓｈが形成され、固定部２１には、駆動軸Ｓの先端が挿入された状態で貫通孔Ｓｈに連通するネジ孔２１ｈが形成されている。ビス２１ｂが貫通孔Ｓｈを介してネジ孔２１ｈに挿通されることで、駆動軸Ｓの先端に固定部２１が連結され固定される。
【００３０】
〈収容部〉
収容部２２は、横方向の一方が開口しており、この例では、正面から見た開口の形状が略矩形状である（図２の下図参照）。収容部２２は、図２に示すように、固定部２１側に位置する上面２２１と、その反対側に位置する下面２２２と、収容部２２の両側に位置する一対の側面２２３と、開口の反対側に位置する当て止め面２２４とを有し、これらの面によって略直方体状の収容空間２５が形成されている。上面２２１及び下面２２２は横方向に平行な平面であり、一対の側面２２３は互いに平行で、かつ、上面２２１及び下面２２２に直交する平面である。当て止め面２２４は、上面２２１及び下面２２２並びに側面２２３に直交する平面である。収容部２２（収容空間２５）には、後述する取付部３０の取付片３２及び固定片４０が収容される（図１，図６参照）。
【００３１】
収容部２２の下面２２２には、後述する取付部３０の軸部３１（図１参照）が挿入されるスリット２６が形成されている。スリット２６は、図３に示すように、収容部２２の開口側から当て止め面２２４に向かって形成され、収容空間２５に連通する。
【００３２】
（取付部）
取付部３０は、図１，図４に示すように、プレート１０に一体に設けられ、プレート１０に接続される一端を有する軸部３１と、軸部３１の他端に形成されて収容部２２に収容される取付片３２とを有する。図４の上図は、取付部３０の側面図であり、図４の下図は、取付部３０の正面図である。
【００３３】
〈軸部〉
軸部３１は、柱状の部材であり、プレート１０のバリ取りブラシＢが固定される端面とは反対側の端面の中心に一端が接続され、他端がプレート１０の反対側の端面から突出している。この例では、軸部３１は円柱状であり、軸部３１の中心とプレート１０の中心とが一致する。
【００３４】
〈取付片〉
取付片３２は、収容部２２の開口から挿入され、図４，図６に示すように、収容部２２の下面２２２に接する第１当接面３２１と、当て止め面２２４に接する当て付け面３２２と、横方向の一方から他方に向かって高くなる傾斜面３２３とを有する。この例では、取付片３２は、第１当接面３２１と当て付け面３２２とが直交しており、側面から見た形状が略直角三角形の三角柱状である（図４の上図参照）。取付片３２の第１当接面３２１側に軸部３１の他端が接続されており、取付片３２が収容部２２に収容された状態では、軸部３１の中心が駆動軸Ｓ（図１参照）の中心に一致する。
【００３５】
取付片３２には、横方向にネジ孔３５が形成されており、ネジ孔３５には、後述するネジ５０が挿通される（図１，図６参照）。
【００３６】
（固定片）
固定片４０は、図１，図６に示すように、取付片３２と共に収容部２２に収容され、取付片３２を収容部２２に固定する部材であり、収容部２２の開口から取付片３２よりも収容部２２の開口側に位置するように収容される。図５の上図は、固定片４０の側面図であり、図５の下図は、固定片４０の正面図である。
【００３７】
固定片４０は、図５，図６に示すように、収容部２２の上面２２１に接する第２当接面４２２と、取付片３２の傾斜面３２３に接する摺動面４２３とを有する。この例では、固定片４０は、側面から見た形状が略直角台形の台形柱状である（図５の上図参照）。固定片４０には、取付片３２に形成されたネジ孔３５に連通するように、貫通方向に直交する断面が縦長の貫通孔４５が横方向に形成されている。この貫通孔４５を介して取付片３２のネジ孔３５に後述するネジ５０が挿通されることで、取付片３２の傾斜面３２３と固定片４０の摺動面４２３とが当接した状態で、取付片３２と固定片４０とがネジ５０によって連結される（図１，図６参照）。貫通孔４５の大きさは、取付片３２のネジ孔３５と軸合わせした状態で、ネジ５０の上下に略均等に隙間ができるような大きさである。
【００３８】
固定片４０は、図６の上図に示すように、ネジ５０が緩められた状態では第２当接面４２２と収容部２２の上面２２１との間に所定の隙間が形成され、図６の下図に示すように、ネジ５０が締められた状態では第２当接面４２２が上面２２１に接する。
【００３９】
（ネジ５０）
ネジ５０は、固定片４０と共に取付片３２を収容部２２に着脱自在に固定する部材である。ネジ５０は、図１，図６に示すように、取付片３２の傾斜面３２３と固定片４０の摺動面４２３とが当接した状態で固定片４０側から挿通され、固定片４０の貫通孔４５を介して取付片３２のネジ孔３５に挿通される。ネジ５０の基端側には、固定片４０に接する頭部５１が形成されている。ネジ５０が回転することで、取付片３２の傾斜面３２３に沿って固定片４０が横方向に摺動して、取付片３２が収容部２２に着脱自在に固定される。
【００４０】
〈ネジ５０による固定〉
図６を参照して、ネジ５０によって、取付片３２が収容部２２に着脱自在に固定される仕組みを説明する。図６の上図は、ネジ５０を締める前の状態、即ちネジ５０が緩められた状態であり、上述したように、固定片４０の第２当接面４２２と収容部２２の上面２２１との間には所定の隙間が形成されている。この状態では、隙間が形成されているので、取付片３２及び固定片４０を収容部２２に挿入したり、収容部２２から取り外すことが可能である。次に、この状態からネジ５０を締めることで、固定片４０がネジ５０の頭部５１に押され、図６の下図に示すように、固定片４０の摺動面４２３が取付片３２の傾斜面３２３に沿って摺動しながら、固定片４０が横方向の一方から他方に移動する。これにより、固定片４０が上方に移動して、第２当接面４２２が収容部２２の上面２２１に接することになり、取付片３２の第１当接面３２１と固定片４０の第２当接面４２２とがそれぞれ収容部２２の下面２２２と上面２２１とを押圧する。よって、固定片４０及び取付片３２が互いに協働して収容部２２の上面２２１と下面２２２との間で上下方向に突っ張ることにより、取付片３２が収容部２２に固定される。
【００４１】
一方、ネジ５０を締めた状態からネジ５０を緩めると、図６の上図に示すように、固定片４０が横方向の他方から一方に向かって取付片３２の傾斜面３２３に沿って摺動する。これにより、固定片４０が下方に移動して、固定片４０の第２当接面４２２と収容部２２の上面２２１との間に隙間が形成されるため、固定片４０及び取付片３２の上下方向の突っ張りが解消され、取付片３２の固定が解除される。
【００４２】
この例では、ネジ５０が半回転することで、取付片３２が収容部２２に着脱自在に固定可能であり、半回転で固定されるように、取付片３２の傾斜面３２３の傾斜角及びネジ５０のピッチが設定されている。また、ネジ５０の頭部５１には、ネジ５０を回転操作するためのハンドル（レバー）が取り付けられている。
【００４３】
＜バリ取りブラシの取付方法＞
次に、図１を主に参照して、バリ取りブラシの取付方法を説明する。バリ取りブラシの取付方法は、上述したバリ取りブラシの取付構造を備え、準備工程と、ブラシ固定工程と、取付片収容工程と、固定片収容工程と、ブラシ取付工程とを備える。以下、各工程について説明する。
【００４４】
（準備工程）
準備工程は、バリ取り機Ａの駆動軸Ｓに支持具２０の固定部２１を固定しておく工程である。具体的には、駆動軸Ｓの先端を固定部２１の挿入穴２１０（図２参照）に挿入して、駆動軸Ｓの先端に支持具２０を装着する。駆動軸Ｓに形成された貫通孔Ｓｈと固定部２１に形成されたネジ孔２１ｈとが連通するように位置合わせし、ネジ孔２１ｈにビス２１ｂを挿通して、駆動軸Ｓの先端に固定部２１を固定しておく。
【００４５】
（ブラシ固定工程）
ブラシ固定工程は、プレート１０にバリ取りブラシＢを固定する工程である。具体的には、プレート１０の端面にバリ取りブラシＢを配置し、ボルト孔１０ｈにボルト１０ｂを挿通して、プレート１０にバリ取りブラシＢをボルト１０ｂで固定する。
【００４６】
（取付片収容工程）
取付片収容工程は、バリ取りブラシＢをプレート１０に固定した後、取付部３０の取付片３２を支持具２０の収容部２２の開口から挿入して、収容部２２に収容する工程である。具体的には、図６の上図に示すように、取付片３２の第１当接面３２１及び当て付け面３２２が収容部２２の下面２２２及び当て止め面２２４に接するように収容する。取付片３２を収容部２２に挿入する際、軸部３１が収容部２２の下面２２２に形成されたスリット２６（図２，図３参照）に挿入される。
【００４７】
（固定片収容工程）
固定片収容工程は、固定片４０を支持具２０の開口から挿入して、取付片３２よりも開口側に位置するように収容部２２に収容する工程である。具体的には、図６の上図に示すように、固定片４０の摺動面４２３が取付片３２の傾斜面３２３に接し、第２当接面４２２と収容部２２の上面２２１との間に所定の隙間が形成された状態で収容する。
【００４８】
取付片収容工程及び固定片収容工程において、予め、固定片４０に形成された貫通孔４５を介して取付片３２に形成されたネジ孔３５にネジ５０を挿通しておいて、取付片３２に固定片４０を連結した状態で収容部２２に収容してもよい。この場合、固定片４０の第２当接面４２２と収容部２２の上面２２１との間に所定の隙間が形成されるように、ネジ５０を緩めておく。また、固定片４０を収容部２２に収容した後、ネジ５０を固定片４０の貫通孔４５を介して取付片３２のネジ孔３５に挿通してもよい。
【００４９】
（ブラシ取付工程）
ブラシ取付工程は、取付片３２及び固定片４０を収容部２２に収容した後、ネジ５０を回転させることで、取付片３２の傾斜面３２３に沿って固定片４０を横方向に摺動させ、取付片３２を収容部２２に着脱自在に固定する工程である。具体的には、ネジ５０を締めることで、図６の下図に示すように、固定片４０を横方向の一方から他方に向かって取付片３２の傾斜面３２３に沿って摺動させ、第２当接面４２２が収容部２２の上面２２１に接するようにする。これにより、固定片４０及び取付片３２が互いに協働して収容部２２の上面２２１と下面２２２との間で上下方向に突っ張ることで、取付片３２を収容部２２に固定する。
【００５０】
＜バリ取りブラシの取付構造及び取付方法の作用効果＞
上述した実施形態１のバリ取りブラシの取付構造及び取付方法は、次の効果を奏する。
【００５１】
（１）バリ取りブラシの取付構造は、バリ取り機Ａの駆動軸Ｓに固定部２１を介して固定された支持具２０の収容部２２に対して、プレート１０に一体に設けられた取付部３０の取付片３２が固定片４０と共にネジ５０によって着脱自在に固定される構造である。そのため、駆動軸Ｓに固定された支持具２０にプレート１０を容易に着脱自在に取り付けることが可能であり、駆動軸Ｓから取り外した状態でプレート１０にバリ取りブラシＢをボルト１０ｂで固定する作業を行うことができる。よって、バリ取りブラシＢをプレート１０に固定する作業を外段取りで行うことができ、作業が行い易い。また、プレート１０を支持具２０に容易に取り付けることができるため、バリ取りブラシの取り付け作業も容易であり、作業時間を短縮できる。したがって、バリ取りブラシの取付構造は、バリ取り機Ａの駆動軸Ｓにバリ取りブラシＢを着脱自在に容易に取り付けることが可能であり、バリ取りブラシの取り付け作業性に優れる。
【００５２】
（２）収容部２２の下面２２２と当て止め面２２４とが直交すると共に、取付片３２の第１当接面３２１と当て付け面３２２とが直交することから、収容部２２の当て止め面２２４と取付片３２の当て付け面３２２とが互いに平行に面接触する。よって、バリ取りブラシの芯出し調整を容易に行うことができ、バリ取りブラシの取付精度が向上する。
【００５３】
（３）ネジ５０が半回転することで、取付片３２が収容部２２に着脱自在に固定可能であることから、バリ取りブラシの取り付け作業が容易であり、作業時間をより短縮できる。
【００５４】
（４）バリ取りブラシの取付方法は、上述したバリ取りブラシの取付構造を備え、バリ取りブラシＢをプレート１０に固定した後、取付片３２と共に固定片４０を収容部２２に収容し、ネジ５０によって取付片３２を収容部２２に固定する。そのため、バリ取りブラシＢをプレート１０に固定する作業を外段取りで行うことから、作業が行い易い。また、上述した取付構造を備えることから、バリ取りブラシＢを固定したプレート１０を支持具２０に容易に取り付けることができるため、バリ取りブラシの取り付け作業も容易であり、作業時間を短縮できる。したがって、バリ取りブラシの取付方法は、バリ取りブラシの取り付け作業性に優れる。
【産業上の利用可能性】
【００５５】
本発明のバリ取りブラシの取付構造、及びバリ取りブラシの取付方法は、バリ取り機の駆動軸へのバリ取りブラシの取り付けに好適に利用可能である。
【符号の説明】
【００５６】
Ａ  バリ取り機
Ｓ  駆動軸
Ｓｈ  貫通孔
Ｂ  バリ取りブラシ
１０  プレート
１０ｂ  ボルト
１０ｈ  ボルト孔
２０  支持具
２１  固定部
２１０  挿入穴
２１ｂ  ビス
２１ｈ  ネジ孔
２２  収容部
２２１  上面
２２２  下面
２２３  側面
２２４  当て止め面
２５  収容空間
２６  スリット
３０  取付部
３１  軸部
３２  取付片
３２１  第１当接面
３２２  当て付け面
３２３  傾斜面
３５  ネジ孔
４０  固定片
４２２  第２当接面
４２３  摺動面
４５  貫通孔
５０  ネジ
５１  頭部
【図１】
0006569948.tif 000002
【図２】
0006569948.tif 000003
【図３】
0006569948.tif 000004
【図４】
0006569948.tif 000005
【図５】
0006569948.tif 000006
【図６】
0006569948.tif 000007